(57)【要約】  一度加熱調理した食品を同じ加熱情報によって再加熱されることを抑制することのできる加熱調理器を提供する。加熱調理器は、加熱庫と、温度センサーと、読取り装置と、制御部と、を備えた加熱調理器において、制御部は、温度センサーによって検出される食品の温度が所定の温度以上になったことを報知させる。
2020149281.tif 000002
【特許請求の範囲】
【請求項１】
加熱庫と、前記加熱庫内の食品の温度を検出する温度センサーと、少なくとも食品の種類を示す情報コードを読み取る読取り装置と、前記読取り装置によって読み取った情報コードに応じて加熱条件を設定し、前記加熱庫内の前記食品の加熱を前記加熱条件に基づいて制御する制御部と、を備えた加熱調理器において、
前記制御部は、
前記食品の加熱を開始する前に、前記温度センサーによって前記食品の温度を検出し、前記食品の温度が所定の温度以上であれば報知させることを特徴とする加熱調理器。
【請求項２】
前記制御部は、
前記食品の加熱を開始する前に、前記温度センサーによって前記食品の温度を検出し、前記食品の温度が所定の温度以上であれば、前記食品を加熱せずに待機することを特徴とする請求項１に記載の加熱調理器。
【請求項３】
前記読取り装置によって読み取った情報コードが、前回と同じ情報コードであることを特徴とする請求項１または２に記載の加熱調理器。
【請求項４】
前記制御部は、
前記報知後、前記温度センサーによって検出される前記食品の温度が前記所定の温度未満になれば、前記加熱条件による前記食品の加熱を開始させること特徴とする請求項２に記載の加熱調理器。
【請求項５】
加熱庫と、前記加熱庫内の食品の温度を検出する温度センサーと、少なくとも食品の種類を示す情報コードを読み取る読取り装置と、前記読取り装置によって読み取った情報コードに応じて加熱条件を設定し、前記加熱庫内の前記食品の加熱を前記加熱条件に基づいて制御する制御部と、を備えた加熱調理器の加熱調理方法において、
前記制御部による制御工程は、
前記食品の加熱を開始する前に、前記温度センサーによって前記食品の温度を検出し、前記食品の温度が所定の温度以上であれば報知させる報知工程を含むことを特徴とする加熱調理方法。
【発明の詳細な説明】
【技術分野】
【０００１】
本発明の一態様は、加熱庫内部に配置された食品を加熱する加熱調理器および加熱調理方法に関する。本願は、２０１９年１月１７日に日本に出願された特願２０１９−６２８１号に基づき優先権を主張し、その内容をここに援用する。
【背景技術】
【０００２】
従来、例えばコンビニエンスストアでは、販売した弁当等の食品を電子レンジ等の加熱調理器にて加熱し、客に手渡すサービスが行われている。【０００３】
食品を加熱する場合の好適な加熱温度や加熱時間は、食品の種類によって異なる。そこで、特許文献１、２および３に示す加熱調理器では、食品の容器に記された、食品の種類を示すバーコードを読取り装置にて読み取り、食品の種類に応じた加熱情報（加熱温度や加熱時間）に従って食品を加熱するようにしている。【０００４】
具体的には、特許文献１に記載の構成では、電子レンジにバーコードスキャナが接続され、ユーザがバーコードスキャナを手動操作して食品の容器に記されたバーコードを読み取るようになっている。【０００５】
また、特許文献２に記載の構成では、加熱調理器の前面の一方の側部に設けられた第１のバーコード読取り装置に、食品の容器に記されたバーコードをかざしてバーコードを読み取るようになっている。あるいは加熱調理器の加熱庫内部に、容器に収容された食品を配置し、加熱庫の天壁に設けられた第２のバーコード読取り装置にて食品の容器に記されたバーコードを読み取るようになっている。【０００６】
また、特許文献３に記載の構成では、調理モードで設定が自動的に行われるとともに、冷凍食品を冷凍庫から出して放置したまま、調理までに長時間を経過して、ある程度温度が上昇している場合などであっても最適な調理を行うことができるようにする。
【先行技術文献】
【特許文献】
【０００７】
【特許文献１】特開２００６−６４３６２号公報
【特許文献２】実用新案登録第３０７６６４９号公報
【特許文献３】特開平６−３３１１４８号公報
【発明の概要】
【発明が解決しようとする課題】
【０００８】
しかしながら、上述のような従来技術では、加熱対象となる食品から読み取ったバーコードに含まれる食品毎に設定された加熱情報（ワット数や加熱時間を示す情報）に基づいて加熱調理するため、一度加熱調理した食品を同じ加熱情報によって再加熱を行うと、過加熱が生じ得るという問題点を有している。【０００９】
したがって、本発明の一態様は、一度加熱調理した食品を同じ加熱情報によって再加熱されることを抑制することのできる加熱調理器の提供を目的とする。
【課題を解決するための手段】
【００１０】
上記の課題を解決するために、本発明の一態様に係る加熱調理器は、加熱庫と、前記加熱庫内の食品の温度を検出する温度センサーと、少なくとも食品の種類を示す情報コードを読み取る読取り装置と、前記読取り装置によって読み取った情報コードに応じて加熱条件を設定し、前記加熱庫内の前記食品の加熱を前記加熱条件に基づいて制御する制御部と、を備えた加熱調理器において、前記制御部は、前記食品の加熱を開始する前に、前記温度センサーによって前記食品の温度を検出し、前記食品の温度が所定の温度以上であれば報知させることを特徴とする。
【発明の効果】
【００１１】
本発明の一態様によれば、一度加熱調理した食品を同じ加熱情報によって再加熱されることを抑制することのできる加熱調理器を提供することができる。
【図面の簡単な説明】
【００１２】
【図１】本発明の実施形態に係る加熱調理器が備える主要構成を示す概略ブロック図である。
【図２】図１に示す加熱調理器が行う加熱操作を示すフローチャートである。
【図３】加熱調理器の前扉を開放した状態を右斜め下方から見た場合の斜視図である。
【図４】加熱調理器が備える読取り装置の設置状態を示すコントロールフレームの縦断面図である。
【図５】図４に示した読取り装置の読取り領域を示す説明図である。
【図６】図６の（ａ）は、図４に示した読取り装置が読み取る二次元コードからなる情報コードの例を示す説明図、図６の（ｂ）は、図４に示した読取り装置が読み取る一次元バーコードからなる情報コードの例を示す説明図である。
【図７】本発明の実施形態２に係る加熱調理器が行う加熱操作を示すフローチャートである。
【発明を実施するための形態】
【００１３】
〔実施形態１〕
以下、本発明の一実施形態について、詳細に説明する。図１は、本実施形態に係る加熱調理器１が備える主要構成を示す概略ブロック図である。
【００１４】
（加熱調理器１の概要）
図１に示すように、加熱調理器１は、主に加熱庫１３、制御部２２と、操作パネル１１と、加熱動作部２３と、読取り装置１６と、温度センサー２１と、読取り結果報知部２４と、前扉開閉検知部２５と、温度超過報知部２６とを備える。
【００１５】
制御部２２は、加熱条件設定部２２１と、加熱制御部２２２とを備える。
【００１６】
制御部２２は、加熱調理器１の動作を制御する。制御部２２は、例えばマイクロコンピュータからなり、ＣＰＵ、ＲＯＭおよびＲＡＭを有する。
【００１７】
図１に示すように、制御部２２には、操作パネル１１、加熱動作部２３、読取り装置１６、温度センサー２１、読取り結果報知部２４、前扉開閉検知部２５及び温度超過報知部２６が接続されている。前扉開閉検知部２５は、例えば前扉１２が閉じられたときにオンするスイッチからなり、前扉１２の開状態および閉状態を検知する。
【００１８】
加熱動作部２３は、加熱庫１３に配置された食品を加熱する動作部であり、例えばマイクロ波出力装置やヒータである。読取り結果報知部２４は、ブザーや音声発生部であり、制御部２２に制御されて、読取り装置１６による情報コードの読み取りの成功または失敗をユーザに報知する。
【００１９】
また、制御部２２は、読取り結果報知部２４の動作を制御し、読取り装置１６による情報コードの読み取りの成功または失敗をユーザに報知させる。
【００２０】
図３は、加熱調理器１の前扉１２を開放した状態を右斜め下方から見た場合の斜視図である。図３に示すように、加熱調理器は、例えば電子レンジであり、前面の上部に操作パネル１１を有し、操作パネル１１の下に前扉１２を有している。前扉１２は、前扉１２の奥に設けられている加熱庫１３を開閉する扉であり、閉状態にて加熱庫１３の前面開口部１３ｂを覆う。前扉１２は、本実施形態において、向って左側の端部を中心として回転する横開き形式であり、右端付近に取手１４を有している。
【００２１】
また、制御部２２は、読取り結果報知部２４の動作を制御し、読取り装置１６による情報コードの読み取りの成功または失敗をユーザに報知させる。
【００２２】
読取り装置１６によって読み取った情報コードが、前回と同じ情報コードであることが望ましい。これにより、連続して同じ情報コードを読み取ることができる。
【００２３】
操作パネル１１は、コントロールフレーム（基板収容部）１５の前面に設けられており、加熱調理器１の前後方向において、操作パネル１１の前面位置は前扉１２の前面位置とほぼ一致している。
【００２４】
コントロールフレーム１５の内部には、操作パネル１１の表示部の制御や、入力キー等に対するユーザ操作の受け付け等を行う制御基板（図示せず）が設けられている。
【００２５】
（読取り装置１６）
図４は、読取り装置１６の設置状態を示すコントロールフレーム１５の縦断面図である。図５は、読取り装置１６の読取り領域１９を示す説明図である。
【００２６】
図３に示すように、コントロールフレーム１５は、加熱調理器１の前方へ突出状に設けられている。読取り装置１６は、読取り装置基板（回路基板）１７の下面に取り付けられ、コントロールフレーム１５の内部の下部に設けられている。読取り装置基板１７は、読取り装置１６の駆動回路を備えている。すなわち、読取り装置１６は、加熱庫１３の外部、かつ加熱庫１３の前面開口部１３ｂの上方位置を設置位置とし、設置位置よりも下方に読取り領域１９を有するように設けられている。
【００２７】
読取り装置１６は、例えばバーコードリーダであり、加熱調理器１にて加熱する食品あるいは食品の容器に付与された情報コード（例えばバーコード）を読み取るようになっている。
【００２８】
読取り装置１６は、図５に示すように、読取り装置１６の下方領域を読取り領域１９としており、コントロールフレーム１５は、読取り装置１６と対向する下壁部の部分に、透明の読取り窓１８（図３を参照）を有している。
【００２９】
読取り装置１６の読取り領域１９は、ユーザが目視にて読取り領域１９を理解できるように、例えば赤色の光にて示すようになっている。この赤色の光は、読取り領域照明部（不図示）が照射する。読取り領域照明部としては、例えば赤色ＬＥＤが用いられる。なお、読取り領域１９を示す光は赤色に限定されず、ユーザが目視可能な他の光、例えばレーザ等であってもよい。また、赤色ＬＥＤの個数は１個でもよいし、複数個であってもよい。
【００３０】
また、読取り装置１６は、加熱庫１３の前面開口部１３ｂの幅方向（左右方向）の中央部に設けられている。
【００３１】
（情報コード）
図６の（ａ）は、二次元コード（ＱＲコード（登録商標））からなる情報コードの例を示す説明図、図６の（ｂ）は、一次元バーコードからなる情報コードの例を示す説明図である。
【００３２】
情報コードは、食品の種類を示す情報であり、食品あるいは食品の容器に、例えば印刷あるいはシールによって付与されている。情報コードは、食品の種類、例えば食品が弁当であること（あるいはさらには弁当の種類）や、おにぎりであること（あるいはさらにはおにぎりの種類）を示す情報である。
【００３３】
情報コードは、例えば図６の（ａ）に示すように、二次元コードであってもよいし、図６の（ｂ）に示すように、一次元バーコードであってもよい。なお、情報コードは、食品の種類を示すことができるものであればよく、特にバーコード等に限定されない。
【００３４】
（温度超過報知部）
温度超過報知部２６は、制御部２２に制御され、温度センサー２１によって検出される前記食品の温度が所定の温度以上になったことを報知する。温度超過報知部２６の報知方法について、温度センサー２１によって検出される前記食品の温度が所定の温度以上になったことをユーザに報知することができればよく、特に限定されない。例えば、操作パネル１１に「食品の温度が所定の温度以上ですよ！」という文字を表示して報知してもよいし、「食品の温度が所定の温度以上ですよ！」という音声を出力して報知してもよい。
【００３５】
（制御部）
制御部２２は、例えばインターネット回線を使用してサーバ３１と通信可能である。サーバ３１には、各種食品の種類に応じた加熱情報が登録されている。制御部２２は、読取り装置１６が情報コードを読み取ることによって取得した食品の種類に応じた加熱情報をサーバ３１から取得し、取得した加熱情報に従って食品が加熱されるように、加熱動作部２３を制御する。なお、食品の種類に応じた加熱情報は、加熱調理器１自体が有していてもよい。この場合、加熱調理器１はサーバ３１との通信が不要である。
【００３６】
また、制御部２２において、加熱条件設定部２２１は、読取り装置１６によって読み取った情報コードに応じて、食品の加熱条件を設定し、加熱制御部２２２は、温度センサー２１により前記食品の温度が所定の温度以上になったことを検知した場合に温度超過報知部２６にて前記食品の温度が所定の温度以上になっていることをユーザに報知させる。また、ここでいう所定の温度とは、食品の種類又はユーザの嗜好に応じて好適に設定できる。
【００３７】
（加熱処理を中断）
食品の過加熱を確実に防止するため、加熱調理器１において、制御部２２は、前記食品の加熱を開始する前に、温度センサー２１によって前記食品の温度を検出し、前記食品の温度が所定の温度以上であれば、前記食品を加熱せずに待機してもよい。これにより、食品の過加熱を確実に防止することができる。
【００３８】
（加熱調理器１の動作例）
上記の構成において、加熱調理器１の動作について以下に説明する。ここでは、容器の上面に情報コードが付与された弁当を加熱調理器１にて加熱する場合について説明する。
【００３９】
加熱調理器１の１つの動作例として、例えば、読取り装置１６によって読み取った情報コードが例えば弁当を示す場合、加熱条件設定部２２１は、例えば加熱条件を１５０℃、３分間と設定したとする。そして、ユーザが加熱調理器１に既に加熱された当該弁当を入れた場合、温度センサー２１により当該弁当の温度が例えば９５℃であると検知したとすると、加熱制御部２２２は、過加熱を防止するため、１５０℃、３分間とした加熱条件による加熱を停止させる。
【００４０】
ここで弁当を食品の一例として挙げ、加熱条件を１５０℃、３分間と設定したが、本実施形態はこれに限定されず、本実施形態の加熱調理器１により加熱して利用される食品に好適に利用される。
【００４１】
詳しくは、まず、ユーザは、操作パネル１１の不図示の案内表示（例えば、「ドアを開けて赤色の光に情報コードをかざしてください」）を確認する。そして、ユーザは、この案内表示に従って、前扉１２を開ける。この前扉１２の開放状態を前扉開閉検知部２５が検知すると、制御部２２は、読取り装置１６および不図示の読取り領域照明部を動作させる。
【００４２】
次に、ユーザは、操作パネル１１の案内表示に従って、読取り装置１６の読取り領域１９に情報コードが入るように（情報コードに赤色の光が当たるように）、弁当を移動させる。
【００４３】
この動作により、読取り装置１６は弁当に付与された情報コードを読み取る。読取り装置１６による情報コードの読み取りが成功すると、制御部２２は、その読取り結果を読取り結果報知部２４にてユーザに報知させる。この場合の読取り結果報知部２４の動作は、例えば「ピー」という連続音を発する動作、「情報コードの読み取りが成功しました」という音声を発する動作、あるいはそれら両方である。
【００４４】
ユーザは、読取り結果報知部２４にて情報コードの読み取りの成功が知らされると、弁当を加熱庫１３の内部へ配置した後、前扉１２を閉じ、操作パネル１１のスタートボタンを押す。
【００４５】
制御部２２は、情報コードの読み取りが成功すると、サーバ３１と通信し、情報コードが示す食品の種類の応じた加熱情報をサーバ３１から取得する。その後、制御部２２は、ユーザが前扉１２を閉じ、操作パネル１１のスタートボタンを押と、取得した加熱情報に従って加熱庫１３内の弁当を加熱する。
【００４６】
一方、読取り装置１６による情報コードの読み取りが失敗すると、制御部２２は、その読取り結果を読取り結果報知部２４にてユーザに報知させる。この場合の読取り結果報知部２４の動作は、例えば「ピッ、ピッ、ピッ」という断続音を発する動作、「情報コードの読み取りが失敗しました」という音声を発する動作、あるいはそれら両方である。
【００４７】
ユーザは、読取り結果報知部２４にて情報コードの読み取りの失敗が知らされると、読取り装置１６の読取り領域１９に情報コードが入るように（情報コードに赤色の光が当たるように）、再度、弁当を移動させる。これにより、情報コードの読み取りが成功した場合の動作は、前述のとおりである。
【００４８】
次に、図２に基づいて説明する。図２は、図１に示す加熱調理器１が行う加熱操作を示すフローチャートである。
【００４９】
ステップＳ１において、制御部２２における加熱条件設定部２２１は、読取り装置１６によって読み取った情報コードに応じて、加熱条件を設定する。そして、ステップＳ２において、制御部２２は、加熱動作部２３を動作させる。
【００５０】
ステップＳ３において、温度センサー２１により加熱調理器１に配置された食品の温度を検知する。加熱調理器１に配置された食品の温度が所定の温度以上になったことを検知した場合（ステップＳ３：ＹＥＳ）、制御部２２における加熱制御部２２２は、食品の加熱を開始する前に、温度センサー２１によって前記食品の温度を検出し、前記食品の温度が所定の温度以上であれば温度超過報知部２６にて報知させると共に加熱動作部２３を停止させて加熱せずに処理を一旦中断する（ステップＳ４）。
【００５１】
一方、加熱調理器１に配置された食品の温度が所定の温度未満の場合（ステップＳ３：ＮＯ）、ステップＳ２に戻る。具体的には、例えば、制御部２２は、情報コードにおける加熱情報および検出温度に基づいて加熱再開または加熱条件を補正して設定することが挙げられる（特許文献３を参照）。
【００５２】
（加熱調理器１の利点）
加熱調理器１では、読取り装置１６は、加熱庫１３の外部、かつ加熱庫１３の前面開口部１３ｂの上方位置を設置位置とし、設置位置よりも下方に読取り領域１９を有するように設けられている。
【００５３】
したがって、ユーザが加熱される食品を加熱庫１３に載置する一連の動作の途中にて、読取り装置１６により情報コードを読み取ることができる。これにより、ユーザは、情報コードを読取り装置１６にて読み取らせるための独立した操作が不要となり、情報コードの読み取り作業が容易となる。
【００５４】
また、読取り装置１６は、加熱庫１３の前面開口部１３ｂの上方位置に設置されているので、検出信号通過面（読取り窓１８の下面）の汚れが生じ難く、かつ加熱庫１３内の温度の影響を受け難くなっている。
【００５５】
また、加熱庫１３の前面開口部１３ｂの上方位置には、操作パネル１１の制御基板を収容するコントロールフレーム１５が突出状に設けられている。読取り装置１６は、コントロールフレーム１５の下面から下方を臨むように設けられている。このように、読取り装置１６は、操作パネル１１の制御基板を収容するコントロールフレーム１５を利用して設置されている。
【００５６】
また、制御部２２は、前記温度センサーによって検出される前記食品の温度が所定の温度以上になったことを報知させることにより、一度加熱調理した食品を同じ加熱情報によって再加熱されることを抑制することのできる加熱調理器１を提供することができる。
【００５７】
なお、加熱調理器１において、上記のように、加熱停止した後、加熱中の食品の温度が所定の温度未満になれば、再加熱するようにしてもよい。この点について、下記の実施形態２において説明する。
【００５８】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５９】
本実施形態では、加熱調理器１による食品の加熱中に加熱を停止した後、当該食品の温度が所定温度未満になれば再加熱する例について説明する。具体的な再加熱制御については、図７に示すフローチャートを参照しながら以下に説明する。
【００６０】
（加熱開始）
一例として、加熱調理器１において、前記報知後、温度センサー２１によって検出される前記食品の温度が前記所定の温度未満になれば、制御部２２は、前記加熱条件による前記食品の加熱を開始させてもよい。これにより、食品の固有の風味を確実に保つことができる。
【００６１】
また、実施形態１と同様に、ここでいう所定の温度とも、食品の種類又はユーザの嗜好に応じて好適に設定できる。さらに、一例として、食品の温度が所定の温度未満の場合とは、例えば２０℃未満の場合が挙げられる。
【００６２】
詳細は図７に基づいて説明する。図７は、本実施形態における加熱調理器１が行う加熱操作を示すフローチャートである。
【００６３】
ステップＳ６において、温度センサー２１により加熱調理器１に配置された食品の温度を検知する。加熱調理器１に配置された食品の温度が所定の温度未満と検知した場合（ステップＳ６：ＹＥＳ）、制御部２２における加熱制御部２２２は、加熱動作部２３を動作させる（再開させる）（ステップＳ７）。
【００６４】
一方、加熱調理器１に配置された食品の温度が所定の温度以上と検知した場合（ステップＳ６：ＮＯ）、換言すると、加熱調理器１に配置された食品の温度が所定の温度未満でないと検知した場合（ステップＳ８で、図２のステップＳ３と同様）、制御部２２における加熱制御部２２２は、加熱動作部２３を停止させる（ステップＳ９）。
【００６５】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００６６】
前記実施形態１、２においては、温度センサー２１について特に限定していなかったが、本実施形態では、温度センサー２１としてより好ましいセンサーについて説明する。
【００６７】
（温度センサー）
温度センサー２１は、加熱庫１３の内部に配置された食品の温度を検知する。通常では、包装されている食品に接触して当該食品の温度を検知する構成が挙げられるが、食品を汚してしまう可能性がある。このため、温度センサー２１としては、非接触式温度センサーであることが好ましい。さらに、温度センサー２１としては、赤外線温度センサーであることが好ましい。
【００６８】
また、温度センサー２１の設置位置について、加熱庫１３の内部に配置された食品の温度を検知することができればよく、特に限定されない。例えば、温度センサー２１は、加熱調理器１の読取り装置１６の近傍に設置されてもよい。
【００６９】
〔ソフトウェアによる実現例〕
加熱調理器１の制御ブロック（特に制御部２２）は、集積回路（ＩＣチップ）等に形成された論理回路（ハードウェア）によって実現してもよいし、ソフトウェアによって実現してもよい。
【００７０】
後者の場合、加熱調理器１、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７１】
〔まとめ〕
本発明の態様１に係る加熱調理器１は、加熱庫１３と、加熱庫１３内の食品の温度を検出する温度センサー２１と、少なくとも食品の種類を示す情報コードを読み取る読取り装置１６と、読取り装置１６によって読み取った情報コードに応じて加熱条件を設定し、加熱庫１３内の前記食品の加熱を前記加熱条件に基づいて制御する制御部２２と、を備えた加熱調理器１において、制御部２２は、前記食品の加熱を開始する前に、温度センサー２１によって前記食品の温度を検出し、前記食品の温度が所定の温度以上であれば報知させることを特徴としている。
【００７２】
上記の構成によれば、一度加熱調理した食品を同じ加熱情報によって再加熱されることを抑制することのできる加熱調理器を提供することができる。
【００７３】
本発明の態様２に係る加熱調理器１は、上記態様１において、制御部２２は、前記食品の加熱を開始する前に、温度センサー２１によって前記食品の温度を検出し、前記食品の温度が所定の温度以上であれば、前記食品を加熱せずに待機してもよい。
【００７４】
上記構成によれば、前記食品を加熱せずに処理を一旦中断することができる。
【００７５】
本発明の態様３に係る加熱調理器１は、上記態様１または２において、読取り装置１６によって読み取った情報コードが、前回と同じ情報コードであってもよい。
【００７６】
上記構成によれば、連続して同じ情報コードを読み取ることができる。
【００７７】
本発明の態様４に係る加熱調理器は、上記態様２において、制御部２２は、前記報知後、温度センサー２１によって検出される前記食品の温度が前記所定の温度未満になれば、前記加熱条件による前記食品の加熱を開始させてもよい。
【００７８】
上記構成によれば、所定時間経過後に所定温度未満になれば、加熱開始をすることができる。
【００７９】
本発明の態様５に係る加熱調理方法は、加熱庫１３と、加熱庫１３内の食品の温度を検出する温度センサー２１と、少なくとも食品の種類を示す情報コードを読み取る読取り装置１６と、読取り装置１６によって読み取った情報コードに応じて加熱条件を設定し、加熱庫１３内の前記食品の加熱を前記加熱条件に基づいて制御する制御部２２と、を備えた加熱調理器１の加熱調理方法において、制御部２２による制御工程は、前記食品の加熱を開始する前に、温度センサー２１によって前記食品の温度を検出し、前記食品の温度が所定の温度以上であれば報知させる報知工程を含む。
上記構成によれば、態様１と同様の効果を奏する。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【図１】
2020149281.tif 000003
【図２】
2020149281.tif 000004
【図３】
2020149281.tif 000005
【図４】
2020149281.tif 000006
【図５】
2020149281.tif 000007
【図６】
2020149281.tif 000008
【図７】
2020149281.tif 000009
【国際調査報告】
2020149281.tif 000010
2020149281.tif 000011
2020149281.tif 000012
2020149281.tif 000013